(57)【特許請求の範囲】
【請求項１】
シューズのミッドソール構造体であって、
当該ミッドソール構造体がシューズの踵領域に設けられ、硬度の異なる少なくとも２つのミッドソールから構成されており、
前記踵領域の両側部では高硬度ミッドソールの厚みを低硬度ミッドソールの厚みよりも厚くし、前記踵領域の中央部では低硬度ミッドソールの厚みを高硬度ミッドソールの厚みよりも厚くするとともに、前記高硬度ミッドソールおよび前記低硬度ミッドソールの界面を当該ミッドソール構造体の最上面に現れないようにしており、
前記高硬度ミッドソールおよび前記低硬度ミッドソールがシューズの踏付領域まで延設されており、前記踏付領域の両側部では前記高硬度ミッドソールの厚みを前記低硬度ミッドソールの厚みよりも厚く、前記踏付領域の中央部では前記低硬度ミッドソールの厚みを前記高硬度ミッドソールの厚みよりも厚くした、
ことを特徴とするシューズのミッドソール構造体。
【請求項２】
請求項１において、
前記高硬度ミッドソールが前記低硬度ミッドソールの上側に配置されている、
ことを特徴とするシューズのミッドソール構造体。
【請求項３】
請求項１において、
前記踏付領域において、前記高硬度ミッドソールおよび前記低硬度ミッドソールの界面が当該ミッドソール構造体の最上面に現れていない、
ことを特徴とするシューズのミッドソール構造体。
【請求項４】
請求項１において、
前記高硬度ミッドソールおよび前記低硬度ミッドソールが前記踏付領域を越えてさらに前方まで延設されている、
ことを特徴とするシューズのミッドソール構造体。
【請求項５】
請求項１において、
前記踵領域の外甲側後端部では、前記低硬度ミッドソールの厚みが前記高硬度ミッドソールの厚みよりも厚くなっている、
ことを特徴とするシューズのミッドソール構造体。
【発明の詳細な説明】
【技術分野】
【０００１】
本発明は、シューズのミッドソール構造体に関し、詳細には、着地時の安定性を維持しつつクッション性を向上させるとともに足裏に対する違和感をなくして走行時のライド感を向上させるための構造の改良に関する。
【背景技術】
【０００２】
シューズのミッドソール構造として、たとえば特表２０１２−５１５６２１号公報には、外周縁部の内周側に中央凹部を有するシェルと、シェルの中央凹部内に挿入されるインサートとから構成されたものが記載されている（同公報の段落［００２１］、［００２４］および［００３６］、ならびに図２ないし図６参照）。また、特表２０１３−５２９５３５号公報には、スロープ部を有するメインミッドソールと、メインミッドソールの上側に配置される上部ミッドソールと、メインミッドソールの下側に配置される下部ミッドソールとから構成されたものが記載されている（同公報の段落［００２５］、［００３１］および［００３２］、ならびに図２および図３参照）。【０００３】
上記特表２０１２−５１５６２１号公報に記載のミッドソール構造においては、図５に示すものではシェルの硬度がインサートの硬度よりも高く、図６に示すものではインサートの硬度がシェルの硬度よりも高くなっており、いずれの場合においても、硬度差を有するシェルおよびインサートの境界層（界面）がミッドソールの最上面に露出している。同様に、上記特表２０１３−５２９５３５号公報に記載のミッドソール構造体においては、図２のＣ−Ｃ断面である図３中の最下段の図に示すように、硬度差のあるメインミッドソールおよび上部ミッドソールの界面がミッドソールの最上面に露出している。【０００４】
このため、上記従来の構造では、シューズの着用時のみならず着地時においても、着用者の足裏が硬度差のある２つのミッドソール層の界面に当接することで、着用者が足裏に違和感を感じる恐れがあり、その結果、走行時のライド感を損なう恐れがある。
【先行技術文献】
【特許文献】
【０００５】
【特許文献１】特表２０１２−５１５６２１号公報（段落［００２１］、［００２４］および［００３６］、ならびに図２ないし図６参照）
【特許文献２】特表２０１３−５２９５３５号公報（段落［００２５］、［００３１］および［００３２］、ならびに図２および図３参照）
【発明の概要】
【発明が解決しようとする課題】
【０００６】
本発明は、このような従来の実情に鑑みてなされたもので、本発明が解決しようとする課題は、着地時の安定性を維持しつつクッション性を向上できるとともに、足裏に対する違和感をなくして走行時のライド感を向上できるシューズ用ミッドソール構造体を提供することにある。また本発明は、着地時に足から作用する荷重を均等に分散できるシューズ用ミッドソール構造体を提供しようとしている。
【課題を解決するための手段】
【０００７】
本発明に係るシューズ用ミッドソール構造体においては、シューズの踵領域に設けられ、硬度の異なる少なくとも２つのミッドソールから構成されており、踵領域の両側部では高硬度ミッドソールの厚みを低硬度ミッドソールの厚みよりも厚くし、踵領域の中央部では低硬度ミッドソールの厚みを高硬度ミッドソールの厚みよりも厚くするとともに、高硬度ミッドソールおよび低硬度ミッドソールの界面を当該ミッドソール構造体の最上面に現れないようにしており、高硬度ミッドソールおよび低硬度ミッドソールがシューズの踏付領域まで延設され、踏付領域の両側部では高硬度ミッドソールの厚みを低硬度ミッドソールの厚みよりも厚く、踏付領域の中央部では低硬度ミッドソールの厚みを高硬度ミッドソールの厚みよりも厚くしている（請求項１参照）。
【０００８】
本発明によれば、踵領域の両側部で高硬度ミッドソールの厚みが低硬度ミッドソールの厚みよりも厚くなっていることで、着地時の横振れを防止でき、着地時の安定性を維持できるとともに、踵領域の中央部で低硬度ミッドソールの厚みが高硬度ミッドソールの厚みよりも厚くなっていることで、着地時のクッション性を向上できる。さらに本発明によれば、高硬度ミッドソールおよび低硬度ミッドソールの界面がミッドソール構造体の最上面に現れていないことで、着用者の足裏が硬度差のある２つのミッドソール層の界面に当接することがないので、足裏が違和感を感じることはなく、これにより、走行時のライド感を向上できる。また、本発明では、踏付領域の両側部で高硬度ミッドソールの厚みが低硬度ミッドソールの厚みよりも厚くなっていることで、踵領域から踏付領域に荷重が移動した際および踏付領域での踏み出しの際に、足の踏付部の横振れを防止でき、走行時の安定性を維持できるとともに、踏付領域の中央部で低硬度ミッドソールの厚みが高硬度ミッドソールの厚みよりも厚くなっていることで、踏付領域でのクッション性を向上できる。
【０００９】
本発明では、高硬度ミッドソールが低硬度ミッドソールの上側に配置されている（請求項２参照）。この場合には、着地時に足から当該ミッドソール構造体に作用する荷重を高硬度ミッドソールによって均等に分散でき、足の過度の沈み込みを防止できる。【００１２】
本発明では、踏付領域において高硬度ミッドソールおよび低硬度ミッドソールの界面が当該ミッドソール構造体の最上面に現れていない（請求項３参照）。この場合には、足の踏付部が硬度差のある２つのミッドソール層の界面に当接することがないので、踏付部が違和感を感じることはなく、これにより、走行時のライド感をさらに向上できる。
【００１３】
本発明では、高硬度ミッドソールおよび低硬度ミッドソールが踏付領域を越えてさらに前方まで延設されている（請求項４参照）。
【００１４】
本発明では、踵領域の外甲側後端部において、低硬度ミッドソールの厚みが高硬度ミッドソールの厚みよりも厚くなっている（請求項５参照）。この場合には、接地面に対する踵の初期タッチ時の衝撃を緩和できる。
【発明の効果】
【００１５】
以上のように、本発明に係るシューズ用ミッドソール構造体によれば、踵領域の両側部で高硬度ミッドソールの厚みを低硬度ミッドソールの厚みよりも厚くしたことにより、着地時の横振れを防止でき、着地時の安定性を維持できるとともに、踵領域の中央部で低硬度ミッドソールの厚みを高硬度ミッドソールの厚みよりも厚くしたことにより、着地時のクッション性を向上できる。さらに、高硬度ミッドソールおよび低硬度ミッドソールの界面を当該ミッドソール構造体の最上面に現れないようにしたことにより、着用者の足裏が硬度差のある２つのミッドソール層の界面に当接しないようにして着用者の足裏が違和感を感じないようにすることができ、これにより、走行時のライド感を向上できる。また、踏付領域の両側部で高硬度ミッドソールの厚みを低硬度ミッドソールの厚みよりも厚くしたことにより、踵領域から踏付領域に荷重が移動した際および踏付領域での踏み出しの際に、足の踏付部の横振れを防止でき、走行時の安定性を維持できるとともに、踏付領域の中央部で低硬度ミッドソールの厚みを高硬度ミッドソールの厚みよりも厚くしたことにより、踏付領域でのクッション性を向上できる。
【図面の簡単な説明】
【００１６】
【図１】本発明の一実施例によるシューズ用ミッドソール構造体の平面概略図である。
【図２】前記ミッドソール構造体（図１）の内甲側側面図である。
【図３】前記ミッドソール構造体（図１）の外甲側側面図である。
【図４】図１のIV-IV線断面図である。
【図５】図１のV-V線断面図である。
【図６】図１のVI-VI線断面図である。
【図７】図１のVII-VII線断面図である。
【図８】図３のVIII-VIII線断面部分図である。
【図９】本発明の第１の変形例によるシューズ用ミッドソール構造体の平面概略図である。
【図１０】前記ミッドソール構造体（図９）の内甲側側面図である。
【図１１】前記ミッドソール構造体（図９）の外甲側側面図である。
【図１２】図９のXII-XII線断面図である。
【図１３】図９のXIII-XIII線断面図である。
【図１４】図９のXIV-XIV線断面図である。
【図１５】図９のXV-XV線断面図である。
【図１６】図９のXVI-XVI線断面図である。
【図１７】図９のXVII-XVII線断面図である。
【図１８】本発明の第２の変形例によるシューズ用ミッドソール構造体の平面概略図である。
【図１９】前記ミッドソール構造体（図１８）の内甲側側面図である。
【図２０】前記ミッドソール構造体（図１８）の外甲側側面図である。
【図２１】図１８のXXI-XXI線断面図である。
【図２２】図１８ないし図２１のXXII-XXII線断面図である。
【図２３】図１８ないし図２１のXXIII-XXIII線断面図である。
【図２４】図１８ないし図２１のXXIV-XXIV線断面図である。
【図２５】図１８ないし図２１のXXV-XXV線断面図である。
【発明を実施するための形態】
【００１７】
以下、本発明の実施例を添付図面に基づいて説明する。
図１ないし図８は本発明の一実施例によるシューズ用ミッドソール構造体を示している。ここでは、本実施例によるミッドソール構造体がランニングシューズに適用される場合を例にとって説明する。以下の説明文中、前方（前側/前）および後方（後側/後）とは、ソール前後方向の位置関係を表し、上方（上側/上）および下方（下側/下）とは、ソール上下方向の位置関係を表し、幅方向とはソール左右方向を指すものとする。なお、図４ないし図８の断面図においては、図示の便宜上、ミッドソール構造体にのみハッチングを施している。
【００１８】
図１ないし図４に示すように、ミッドソール構造体１は、上側に配置される上部ミッドソール２と、下側に配置される下部ミッドソール３とを備えている。
【００１９】
上部ミッドソール２は踵領域から踏付領域まで前後方向に延設されており、下部ミッドソール３は踵領域から踏付領域を越えてつま先部まで前後方向に延設されている。すなわち、この例では、踵領域から踏付領域までは、上部ミッドソール２および下部ミッドソール３の２層構造になっているが、つま先部では、下部ミッドソール３のみの一層構造になっている。上下部ミッドソール２、３の各々の合わせ面はたとえば接着やダブルインジェクション等によって互いに固着されている。接着による固着の場合には、上下部ミッドソール２、３の各々の合わせ面である界面２Ｂおよび３Ａ間には、接着剤層が形成されている。下部ミッドソール３の下面には、踵領域からつま先部に至る領域に配設されたアウトソール４が接着等により固着されている。
【００２０】
上部ミッドソール２は、着用者の足裏が直接（またはインソール等を介して間接的に）当接する足裏当接面２Ａと、その外周縁部から上方に立ち上がりつつ前後方向に延設された立上げ部２０とを有している。
【００２１】
上下部ミッドソール２、３は、好ましくは軟質弾性部材製の部材から構成されており、具体的には、エチレン−酢酸ビニル共重合体（ＥＶＡ）等の熱可塑性合成樹脂やその発泡体、ポリウレタン（ＰＵ）等の熱硬化性樹脂やその発泡体、またはブタジエンラバーやクロロプレンラバー等のラバー素材やその発泡体から構成されている。
【００２２】
上下部ミッドソール２、３の硬度は、アスカーＣスケールで、下部ミッドソール３については４０〜６０Ｃ（具体的にはたとえば５０Ｃ）であり、上部ミッドソール２については下部ミッドソール３よりも高硬度で、具体的にはたとえば５５Ｃである。上下部ミッドソール２、３の硬度差は、アスカーＣスケールで少なくとも１Ｃあればよい。
【００２３】
ミッドソール構造体１の踵領域の横断面図である図５（図１のV-V線断面図）に示すように、踵領域の両側部（つまり内外甲側側部）では、高硬度の上部ミッドソール２の厚みが低硬度の下部ミッドソール３の厚みよりも厚くなっており、踵領域の中央部では、低硬度の下部ミッドソール３の厚みが高硬度の上部ミッドソール２の厚みよりも厚くなっている。上下部ミッドソール２、３の界面２Ｂ、３Ａは、ミッドソール構造体１の最上面である、上部ミッドソール２の足裏当接面２Ａには現れていない。また、踵領域の中央部において下部ミッドソール３の下面には、凹部３０が形成されている。
【００２４】
ミッドソール構造体１の土踏まず領域の横断面図である図６（図１のVI-VI線断面図）に示すように、土踏まず領域の内甲側から中央部にかけての領域では、高硬度の上部ミッドソール２の厚みが低硬度の下部ミッドソール３の厚みよりも厚くなっており、土踏まず領域の外甲側では、低硬度の下部ミッドソール３の厚みが高硬度の上部ミッドソール２の厚みよりも厚くなっている。また、上下部ミッドソール２、３の界面２Ｂ、３Ａは。ミッドソール構造体１の最上面である、上部ミッドソール２の足裏当接面２Ａには現れていない。
【００２５】
ミッドソール構造体１の踏付領域の横断面図である図７（図１のVII-VII線断面図）に示すように、踏付領域の両側部では、高硬度の上部ミッドソール２の厚みが低硬度の下部ミッドソール３の厚みよりも厚くなっており、踏付領域の中央部では、低硬度の下部ミッドソール３の厚みが高硬度の上部ミッドソール２の厚みよりも厚くなっている。また、上下部ミッドソール２、３の界面２Ｂ、３Ａは、ミッドソール構造体１の最上面である、上部ミッドソール２の足裏当接面２Ａには現れていない。
【００２６】
また、踵領域の外甲側後端部の横断面図である図８（図３のVIII-VIII線断面部分図）に示すように、踵領域の外甲側後端部では、低硬度の下部ミッドソール３の厚みが高硬度の上部ミッドソール２の厚みよりも厚くなっている。
【００２７】
次に、本実施例の作用効果について説明する。
上述したように本実施例によれば、踵領域の両側部で高硬度の上部ミッドソール２の厚みが低硬度の下部ミッドソール３の厚みよりも厚くなっているので（図５参照）、踵着地時の足Ｆの横振れを防止でき、着地時の安定性を維持できるとともに、踵領域の中央部で低硬度の下部ミッドソール３の厚みが高硬度の上部ミッドソール２の厚みよりも厚くなっているので（同図参照）、踵着地時のクッション性を向上できる。また、踵領域の中央部において下部ミッドソール３の下面に凹部３０が形成されているので（同図参照）、踵着地時のクッション性をさらに向上できるばかりでなく、凹部３０に対応するミッドソール領域が踵着地時に下方に沈み込みやすくなり、さらにこのミッドソール領域の沈み込みに連動して上部ミッドソール２の左右の立上げ部２０が踵中央側に向かって倒れ込むように変形するようになって各立上げ部２０が踵を左右からホールドするようになり、これにより、踵着地時の足Ｆの横振れをより確実に防止できる。
【００２８】
しかも、本実施例によれば、踵領域において高硬度の上部ミッドソール２および低硬度の下部ミッドソール３の界面２Ｂ、３Ａがミッドソール構造体１の最上面（つまり上部ミッドソール２の足裏当接面２Ａ）に現れていないので（図５参照）、着用者の足裏が硬度差のある２つのミッドソール層の界面に当接することはなく、これにより、着用者の足裏が違和感を感じることなく、走行時のライド感を向上できる。
【００２９】
また、本実施例では、高硬度の上部ミッドソール２が低硬度の下部ミッドソール３の上側に配置されているので（図５参照）、着地時に足Ｆからミッドソール構造体１に作用する荷重を高硬度の上部ミッドソール２によって均等に分散でき、これにより、足Ｆの過度の沈み込みを防止できる。
【００３０】
さらに、本実施例では、上下部ミッドソール２、３がミッドソール構造体１の踏付領域まで延設されるとともに（図１参照）、踏付領域の両側部で高硬度の上部ミッドソール２の厚みが低硬度の下部ミッドソール３の厚みよりも厚くなっているので（図７参照）、踵領域から踏付領域に荷重が移動した際および踏付領域での踏み出しの際に、足Ｆの踏付部の横振れを防止でき、走行時の安定性を維持できるとともに、踏付領域の中央部で低硬度の下部ミッドソール３の厚みが高硬度の上部ミッドソール２の厚みよりも厚くなっているので（図７参照）、踏付領域でのクッション性を向上できる。
【００３１】
しかも、本実施例では、踏付領域において高硬度の上部ミッドソール２および低硬度の下部ミッドソール３の界面２Ｂ、３Ａがミッドソール構造体１の最上面（つまり上部ミッドソール２の足裏当接面２Ａ）に現れていないので（図７参照）、足Ｆの踏付部が硬度差のある２つのミッドソール層の界面に当接することはなく、これにより、踏付部が違和感を感じることなく、走行時のライド感をさらに向上できる。
【００３２】
また、本実施例では、踵領域の外甲側後端部において、低硬度の下部ミッドソール３の厚みが高硬度の上部ミッドソール２の厚みよりも厚くなっているので（図８参照）、接地面に対する踵の初期タッチ時の衝撃を緩和できる。
【００３３】
以上、本発明に好適な実施例について説明したが、本発明の適用はこれに限定されるものではなく、本発明には種々の変形例が含まれる。以下に変形例のいくつかの例を挙げておく。なお、変形例を示す図面において、前記実施例と同一符号は同一または相当部分を示している。
【００３４】
＜第１の変形例＞
前記実施例では、下部ミッドソール３が踵領域から踏付領域を越えてつま先部まで前後方向に延設された場合（つまりフルレンクス仕様）の例を示したが、本発明の適用はこれに限定されない。図９ないし図１７は本発明の第１の変形例を示している。
【００３５】
図９ないし図１２に示すように、下部ミッドソール３は踵領域に設けられている。上部ミッドソール２は踵領域から踏付領域を越えてつま先部まで前後方向に延設されている。すなわち、この例では、踵領域において上部ミッドソール２および下部ミッドソール３の２層構造になっており、その他の領域では上部ミッドソール２の一層構造になっている。なお、下部ミッドソール３の前端縁部３ａは、土踏まず領域の後端部まで延設されていてもよく、また前端縁部３ａの形状も図９に示すものでなくてもよい。アウトソール４は、踵領域の内外甲側後端部の領域においては下部ミッドソール３の下面に、踵領域のその他の領域では上下部ミッドソール２、３の下面に、土踏まず領域および踏付領域では上部ミッドソール２の下面にそれぞれ接着等により固着されている。
【００３６】
上下部ミッドソール２、３の硬度は、前記実施例と同様に、アスカーＣスケールで、下部ミッドソール３については４０〜６０Ｃ（具体的にはたとえば５０Ｃ）であり、上部ミッドソール２については下部ミッドソール３よりも高硬度で、具体的にはたとえば５５Ｃであって、上下部ミッドソール２、３の硬度差はアスカーＣスケールで少なくとも１Ｃあればよい。
【００３７】
踵領域の横断面図である図１３（図９のXIII-XIII線断面図）に示すように、踵領域の内甲側側部では、高硬度の上部ミッドソール２の厚みが低硬度の下部ミッドソール３の厚みよりも厚くなっており、踵領域の中央部では低硬度の下部ミッドソール３の厚みが高硬度の上部ミッドソール２の厚みよりも厚くなっている。同図に示す横断面では、踵領域の外甲側後端部（つまり踵の接地面への初期タッチ領域）の横断面を含むため、踵領域の外甲側側部では、低硬度の下部ミッドソール３の厚みが高硬度の上部ミッドソール２の厚みよりも厚くなっているが、当該外甲側後端部以外の外甲側側部では、図１４（図９のXIV-XIV線断面図）に示すように、高硬度の上部ミッドソール２の厚みが低硬度の下部ミッドソール３の厚みよりも厚くなっている。上下部ミッドソール２、３の界面２Ｂ、３Ａは、前記実施例と同様に、ミッドソール構造体１の最上面である、上部ミッドソール２の足裏当接面２Ａには現れていない。また、踵領域の中央部において下部ミッドソール３の下面には、凹部３０が形成されている。
【００３８】
土踏まず領域では、その横断面図である図１５（図９のXV-XV線断面図）に示すように、高硬度の上部ミッドソール２のみが設けられている。同様に、踏付領域では、その後端部および前端部の横断面図である図１６（図９のXVI-XVI線断面図）および図１７（図９のXVII-XVII線断面図）に示すように、高硬度の上部ミッドソール２のみが設けられている。
【００３９】
前記実施例と同様に、この第１の変形例においても、踵領域の両側部で高硬度の上部ミッドソール２の厚みが低硬度の下部ミッドソール３の厚みよりも厚くなっているので（図１３、図１４参照）、踵着地時の足の横振れを防止でき、着地時の安定性を維持できるとともに、踵領域の中央部で低硬度の下部ミッドソール３の厚みが高硬度の上部ミッドソール２の厚みよりも厚くなっているので（図１３参照）、踵着地時のクッション性を向上できる。また、踵領域の中央部において下部ミッドソール３の下面に凹部３０が形成されているので（図１４参照）、踵着地時のクッション性をさらに向上できるばかりでなく、凹部３０に対応するミッドソール領域が踵着地時に下方に沈み込みやすくなり、さらにこのミッドソール領域の沈み込みに連動して上部ミッドソール２の左右の立上げ部２０が踵中央側に向かって倒れ込むように変形するようになって各立上げ部２０が踵を左右からホールドするようになり、これにより、踵着地時の足Ｆの横振れをより確実に防止できる。
【００４０】
しかも、踵領域において高硬度の上部ミッドソール２および低硬度の下部ミッドソール３の界面２Ｂ、３Ａがミッドソール構造体１の最上面（つまり上部ミッドソール２の足裏当接面２Ａ）に現れていないので（図１３、図１４参照）、着用者の足裏が硬度差のある２つのミッドソール層の界面に当接することはなく、これにより、着用者の足裏が違和感を感じることなく、走行時のライド感を向上できる。
【００４１】
さらに、高硬度の上部ミッドソール２が低硬度の下部ミッドソール３の上側に配置されているので（図１３、図１４参照）、着地時に足からミッドソール構造体１に作用する荷重を高硬度の上部ミッドソール２によって均等に分散でき、これにより、足Ｆの過度の沈み込みを防止できる。
【００４２】
また、踵領域の外甲側後端部において、低硬度の下部ミッドソール３の厚みが高硬度の上部ミッドソール２の厚みよりも厚くなっているので（図１３参照）、接地面に対する踵の初期タッチ時の衝撃を緩和できる。
【００４３】
なお、踵領域の内甲側側部（内甲側後端部除く）には、高硬度の上部ミッドソール２のみが設けられており、低硬度の下部ミッドソール３との界面が存在しないので（図１４参照）、踵領域の内甲側側部（内甲側後端部除く）において下部ミッドソール３が上部ミッドソール２から剥離する恐れを解消できるとともに、高硬度の上部ミッドソール２に比べて比較的高コストである低硬度の下部ミッドソール３の量を減らして、ミッドソール構造体１の製造コストを低減できる。また、踵領域の内甲側側部（内甲側後端部除く）に上下部ミッドソール２、３の界面２Ｂ、３Ａが存在していないことにより、踵領域には、上部ミッドソール２の界面２Ｂが凹状に形成されるとともに、下部ミッドソール３の界面３Ａが、上部ミッドソール２の凹状の界面２Ｂに対応する凸状に形成されている（図１４参照）。これにより、下部ミッドソール３を上部ミッドソール２の界面２Ｂに接着する際には、上下部ミッドソール２、３の界面２Ｂ、３Ａの対応する凹凸形状を利用して、下部ミッドソール３の上部ミッドソール２に対する位置決めが容易になり、ミッドソールの組立作業が容易になる。
【００４４】
＜第２の変形例＞
前記実施例では、下部ミッドソール３が踵領域から踏付領域を越えてつま先部まで前後方向に延設された場合（つまりフルレンクス仕様）の例を示したが、本発明の適用はこれに限定されない。図１８ないし図２５は本発明の第２の変形例を示している。
【００４５】
図１８ないし図２１に示すように、下部ミッドソール３は踵領域から土踏まず領域にかけての領域に設けられている。上部ミッドソール２は踵領域から踏付領域を越えてつま先部まで前後方向に延設されている。すなわち、この例では、踵領域および土踏まず領域において上部ミッドソール２および下部ミッドソール３の２層構造になっており、その他の領域では上部ミッドソール２の一層構造になっている。また、下部ミッドソール３の外周縁部は、踵領域の外甲側後端部から内甲側後端部をへて内甲側側部にかけての領域において、ミッドソール構造体１の外周縁部まで延設されておらず、当該領域の外周縁部には、上部ミッドソール２のみが現れている。なお、下部ミッドソール３の前端縁部３ａは、土踏まず領域の前端部まで延設されていてもよく、また前端縁部３ａの形状も図１８に示すものでなくてもよい。アウトソール４は、踵領域および土踏まず領域においては上下部ミッドソール２、３の下面に、その他の領域では上部ミッドソール２の下面にそれぞれ接着等により固着されている。
【００４６】
上下部ミッドソール２、３の硬度は、前記実施例と同様に、アスカーＣスケールで、下部ミッドソール３については４０〜６０Ｃ（具体的にはたとえば５０Ｃ）であり、上部ミッドソール２については下部ミッドソール３よりも高硬度で、具体的にはたとえば５５Ｃであって、上下部ミッドソール２、３の硬度差はアスカーＣスケールで少なくとも１Ｃあればよい。
【００４７】
踵領域の横断面図である図２２（図１８ないし図２１のXXII-XXII線断面図）に示すように、踵領域の内甲側側部および外甲側側部では、高硬度の上部ミッドソール２の厚みが低硬度の下部ミッドソール３の厚みよりも厚くなっており、踵領域の中央部では、低硬度の下部ミッドソール３の厚みが高硬度の上部ミッドソール２の厚みよりも厚くなっている。なお、踵領域の内甲側側部では、前記第１の変形例の図１４と同様に、下部ミッドソール３の厚みが零になっており、踵領域の内甲側側部は上部ミッドソール２のみによって構成されている。上下部ミッドソール２、３の界面２Ｂ、３Ａは、前記実施例と同様に、ミッドソール構造体１の最上面である、上部ミッドソール２の足裏当接面２Ａには現れていない。
【００４８】
土踏まず領域の後端側では、その横断面図である図２３（図１８ないし図２１のXXIII-XXIII線断面図）に示すように、土踏まず領域の内甲側の領域では、高硬度の上部ミッドソール２の厚みが低硬度の下部ミッドソール３の厚みよりも厚くなっており（下部ミッドソール３の厚み零）、土踏まず領域の中央部から外甲側にかけての領域では、低硬度の下部ミッドソール３の厚みが高硬度の上部ミッドソール２の厚みよりも厚くなっている。また、上下部ミッドソール２、３の界面２Ｂ、３Ａは、ミッドソール構造体１の最上面である、上部ミッドソール２の足裏当接面２Ａには現れていない。
【００４９】
土踏まず領域の前端側では、その横断面図である図２４（図１８ないし図２１のXXIV-XXIV線断面図）に示すように、高硬度の上部ミッドソール２のみが設けられている。同様に、踏付領域では、その横断面図である図２５（図１８ないし図２１のXXV-XXV線断面図）に示すように、高硬度の上部ミッドソール２のみが設けられている。
【００５０】
前記実施例と同様に、この第２の変形例においても、踵領域の両側部で高硬度の上部ミッドソール２の厚みが低硬度の下部ミッドソール３の厚みよりも厚くなっているので（図２２参照）、踵着地時の足の横振れを防止でき、着地時の安定性を維持できるとともに、踵領域の中央部で低硬度の下部ミッドソール３の厚みが高硬度の上部ミッドソール２の厚みよりも厚くなっているので（図２２参照）、踵着地時のクッション性を向上できる。
【００５１】
しかも、踵領域において高硬度の上部ミッドソール２および低硬度の下部ミッドソール３の界面２Ｂ、３Ａがミッドソール構造体１の最上面（つまり上部ミッドソール２の足裏当接面２Ａ）に現れていないので（図２２参照）、着用者の足裏が硬度差のある２つのミッドソール層の界面に当接することはなく、これにより、着用者の足裏が違和感を感じることなく、走行時のライド感を向上できる。
【００５２】
さらに、高硬度の上部ミッドソール２が低硬度の下部ミッドソール３の上側に配置されているので（図２２参照）、着地時に足からミッドソール構造体１に作用する荷重を高硬度の上部ミッドソール２によって均等に分散でき、これにより、足Ｆの過度の沈み込みを防止できる。
【００５３】
なお、踵領域の外甲側後端部から内甲側後端部をへて内甲側側部にかけての領域、および土踏まず領域の内甲側側部の領域には、高硬度の上部ミッドソール２のみが設けられており、低硬度の下部ミッドソール３との界面が存在しないので（図２２、図２３参照）、これらの領域において下部ミッドソール３が上部ミッドソール２から剥離する恐れを解消できるとともに、高硬度の上部ミッドソール２に比べて比較的高コストである低硬度の下部ミッドソール３の量を減らして、ミッドソール構造体１の製造コストを低減できる。また、土踏まず領域から踏付領域に至る領域の内甲側側部には、低硬度の下部ミッドソール３が設けられておらず、高硬度の上部ミッドソール２のみが設けられているので（図２３ないし図２５参照）、ミッドソール構造体１の安定性をさらに向上できる。
【００５４】
さらに、踵領域の内甲側側部に上下部ミッドソール２、３の界面２Ｂ、３Ａが存在していないことにより、踵領域には、上部ミッドソール２の界面２Ｂが凹状に形成されるとともに、下部ミッドソール３の界面３Ａが、上部ミッドソール２の凹状の界面２Ｂに対応する凸状に形成されている（図２２、図２３参照）。これにより、下部ミッドソール３を上部ミッドソール２の界面２Ｂに接着する際には、上下部ミッドソール２、３の界面２Ｂ、３Ａの対応する凹凸形状を利用して、下部ミッドソール３の上部ミッドソール２に対する位置決めが容易になり、ミッドソールの組立作業が容易になる。
【００５５】
＜第３の変形例＞
前記実施例および前記第１および第２の変形例では、ミッドソール構造体１が高硬度の上部ミッドソール２および低硬度の下部ミッドソール３の２層から構成された例を示したが、本発明は、３層以上のミッドソールからミッドソール構造体を構成するようにしてもよい。
【００５６】
＜その他の変形例＞
上述した実施例および各変形例はあらゆる点で本発明の単なる例示としてのみみなされるべきものであって、限定的なものではない。本発明が関連する分野の当業者は、本明細書中に明示の記載はなくても、上述の教示内容を考慮するとき、本発明の精神および本質的な特徴部分から外れることなく、本発明の原理を採用する種々の変形例やその他の実施例を構築し得る。
【００５７】
＜他の適用例＞
前記実施例では、ランニングシューズ用のミッドソール構造体を例にとって説明したが、本発明の適用はこれに限定されるものではなく、本発明によるミッドソール構造体はウォーキングシューやトレーニングシューズ等の他のスポーツシューズにも同様に適用可能である。
【産業上の利用可能性】
【００５８】
以上のように、本発明は、シューズ用ミッドソール構造体に有用であり、とくに、着地時の安定性およびクッション性の向上、ならびに走行時のライド感の向上を要求されるスポーツシューズに適している。
【符号の説明】
【００５９】
１：  ミッドソール構造体
２：  上部ミッドソール（高硬度ミッドソール）
２Ａ：  足裏当接面（最上面）
２Ｂ：  界面
３：  下部ミッドソール（低硬度ミッドソール）  
３Ａ：  界面
【図１】
0006484399.tif 000002
【図２】
0006484399.tif 000003
【図３】
0006484399.tif 000004
【図４】
0006484399.tif 000005
【図５】
0006484399.tif 000006
【図６】
0006484399.tif 000007
【図７】
0006484399.tif 000008
【図８】
0006484399.tif 000009
【図９】
0006484399.tif 000010
【図１０】
0006484399.tif 000011
【図１１】
0006484399.tif 000012
【図１２】
0006484399.tif 000013
【図１３】
0006484399.tif 000014
【図１４】
0006484399.tif 000015
【図１５】
0006484399.tif 000016
【図１６】
0006484399.tif 000017
【図１７】
0006484399.tif 000018
【図１８】
0006484399.tif 000019
【図１９】
0006484399.tif 000020
【図２０】
0006484399.tif 000021
【図２１】
0006484399.tif 000022
【図２２】
0006484399.tif 000023
【図２３】
0006484399.tif 000024
【図２４】
0006484399.tif 000025
【図２５】
0006484399.tif 000026